(57)【要約】【課題】  気化器の利用率に応じて、ガスの使用量に拘わらず割安感が得られるようにしたガス料金を設定する。【解決手段】  気化器３で気化したガスの料金を設定する際に、予め定められたガスの年間使用量をガスの最大流量の１年間の総量で除して得た割合によって気化器３の利用率を求め、気化器３の利用率に応じてガス料金を設定し、ガスの使用量に拘わらず割安感が得られるようにしたガス料金を設定する。【選択図】      図１
2009175897.tif 000002
【特許請求の範囲】
【請求項１】
気化器で気化したガスの料金を設定する際に、気化器の占有割合に基づいてガスの料金を設定することを特徴とするガス料金設定システム。
【請求項２】
気化器で気化したガスの料金を設定する際に、気化器の占有割合に基づいて気化器の利用率を求め、気化器の利用率に応じてガス料金を設定することを特徴とするガス料金設定システム。
【請求項３】
請求項２において、気化器の利用率は、単位期間の占有割合に対する単位期間の契約量の割合であることを特徴とするガス料金設定システム。
【請求項４】
請求項３において、単位期間の占有割合は、予め定められた１時間当りのガスの最大流量であり、単位期間の契約量は、予め定められたガスの年間使用量であり、気化器の利用率は、予め定められたガスの年間使用量をガスの最大流量の１年間の総量で除して得た割合であることを特徴とするガス料金設定システム。
【請求項５】
請求項４において、気化器の利用率が高いほどガスの料金が低く設定されていることを特徴とするガス料金設定システム。
【請求項６】
請求項５において、気化器の利用率を上限として利用割合が複数段階に設定されると共に利用割合に応じてそれぞれ単価が設定され、利用割合毎の単価の総和を利用率で除して得た額を販売単価としたことを特徴とするガス料金設定システム。
【請求項７】
請求項１において、単位期間の占有割合に対する単位期間の使用量実績の割合に基づいてガスの料金を設定することを特徴とするガス料金設定システム。
【発明の詳細な説明】
【技術分野】
【０００１】
本発明は、気化器で気化したガスの料金を設定するシステムに関し、使用量に拘わらず割安感が得られるように企図したものである。
【背景技術】
【０００２】
一般に、ガスの料金体系は、販売量が多くなって一定量を越えた部分から割引価格を適用したり、工場や大きな事業所等のように業務用に大量に使用する大口向けと一般の小口向けとで二部料金とすることが考えられている。また、大口、小口に拘わらず一つの料金が設定される場合もある。
【０００３】
一定量を越えた部分から割引価格を適用する場合、企業や事業所の規模によってガスの価格が異なって不公平感が生じる。また、二部料金とした場合、特に卸販売の場合、販売先から更に消費先にガスが供給されるため、消費先の構成比（大口向け、小口向け）が販売先によって異なり、適用される料金の確認が煩雑となってしまう。また、一つの料金が設定される場合、各販売先、特に大口向けに対する販売競争力が低下し、その結果として販売量が伸びなくなってしまう。
【０００４】
従来から、ガスの使用条件（使用日時や使用機器の特定等）によって料金を設定し、それぞれの使用が重複しないようにしてガス料金を算出することが考えられている（例えば、特許文献１参照）。従来の技術では、正確にガス使用量に応じた料金を設定することができる。しかし、ガス料金は従量単価に対する使用量の積算値であり、使用量により不公平感が生じるのは否めない状況であった。
【０００５】
ガスの販売は、液化ガスを気化器によって気化して消費先に供給している。販売の契約の仕方として、販売元が持つ気化器の能力に対して消費先は単位時間（例えば１時間）当りの最大の流量を予め契約すると共に、単位期間（例えば１年）の使用量を予め契約するようにされている。気化器の能力に対する最大流量及び単位期間の使用量を予め契約することで、安定してガスの供給を受けることが可能になる。
【０００６】
この場合の問題として、気化器の能力は決まっているので、契約時に一つの消費先が最大の流量を多く契約した場合、他の消費先に対する最大の流量が制限されてしまい、一つの消費先での使用量が少ないと、気化器の能力に応じたガスの供給ができなくなることが考えられる。
【０００７】
【特許文献１】特開２００４−８５３０９号公報
【発明の開示】
【発明が解決しようとする課題】
【０００８】
本発明は上述した事情に鑑みてなされたもので、気化器の占有割合（利用率）に基づいてガスの料金を設定することで、使用量に拘わらず割安感が得られるようにしたガス料金設定システムを提供することを目的とする。
【課題を解決するための手段】
【０００９】
上記課題を解決する本発明の第１の態様は、気化器で気化したガスの料金を設定する際に、気化器の占有割合に基づいてガスの料金を設定することを特徴とするガス料金設定システムにある。
【００１０】
第１の態様では、気化器の占有割合に基づいてガスの料金を設定することで、使用量に拘わらず割安感が得られるような料金を設定することができる。
【００１１】
上記課題を解決する本発明の第２の態様は、気化器で気化したガスの料金を設定する際に、気化器の占有割合に基づいて気化器の利用率を求め、気化器の利用率に応じてガス料金を設定することを特徴とするガス料金設定システムにある。
【００１２】
第２の態様では、気化器の利用率に応じてガス料金を設定することで、使用量に拘わらず利用率に応じた割安感が得られるような料金を設定することができる。
【００１３】
本発明の第３の態様は、第２の態様において、気化器の利用率は、単位期間の占有割合に対する単位期間の契約量の割合であることを特徴とするガス料金設定システムにある。
【００１４】
第３の態様では、単位期間の占有割合に対する単位期間の契約量の割合に応じた割安感が得られるような料金を設定することができる。
【００１５】
本発明の第４の態様は、第３の態様において、単位期間の占有割合は、予め定められた１時間当りのガスの最大流量であり、単位期間の契約量は、予め定められたガスの年間使用量であり、気化器の利用率は、予め定められたガスの年間使用量をガスの最大流量の１年間の総量で除して得た割合であることを特徴とするガス料金設定システムにある。
【００１６】
第４の態様では、予め定められたガスの年間使用量をガスの最大流量の１年間の総量で除して得た割合に応じた割安感が得られるような料金を設定することができる。
【００１７】
本発明の第５の態様は、第４の態様において、気化器の利用率が高いほどガスの料金が低く設定されていることを特徴とするガス料金設定システムにある。
【００１８】
第５の態様では、気化器の利用率が高いほどガスの料金が低くなった割安感が得られるような料金を設定することができる。
【００１９】
本発明の第６の態様は、第５の態様において、気化器の利用率を上限として利用割合が複数段階に設定されると共に利用割合に応じてそれぞれ単価が設定され、利用割合毎の単価の総和を利用率で除して得た額を販売単価としたことを特徴とするガス料金設定システムにある。
【００２０】
第６の態様では、利用割合毎の単価の総和を利用率で除して得た額を販売単価として割安感が得られるような料金を設定することができる。
【００２１】
本発明の第７の態様は、第１の態様において、単位期間の占有割合に対する単位期間の使用量実績の割合に基づいてガスの料金を設定することを特徴とするガス料金設定システムにある。
【００２２】
第７の態様では、使用量実績の割合に応じて割安感が得られるような料金を設定することができる。
【発明の効果】
【００２３】
本発明によれば、気化器の占有割合に基づいてガスの料金を設定することで、使用量に拘わらず割安感が得られるようにしたガス料金設定システムとなる。
【発明を実施するための最良の形態】
【００２４】
以下に本発明を実施形態に基づいて詳細に説明する。
【００２５】
本実施形態例のガス料金設定システムは、気化器で気化したガスの料金を設定する際に、気化器の占有割合に基づいて気化器の利用率を求め、気化器の利用率に応じてガス料金を設定するもので、気化器の利用率は、単位期間の占有割合に対する単位期間の契約量の割合となっている。そして、単位期間の占有割合は、予め定められた１時間当りのガスの最大流量であり、単位期間の契約量は、予め定められたガスの年間使用量であり、気化器の利用率は、予め定められたガスの年間使用量をガスの最大流量の１年間の総量で除して得た割合となっている。また、気化器の利用率を上限として利用割合が複数段階に設定されると共に利用割合に応じてそれぞれ単価が設定され、利用割合毎の単価の総和を利用率で除して得た額を販売単価とし、気化器の利用率が高いほどガスの料金が低く設定されている。
【００２６】
このため、気化器の利用率に応じて、ガスの使用量に拘わらず割安感が得られるようにしたガス料金が設定される。
【００２７】
図１には本発明の一実施形態例に係るガス料金設定システムを説明する全体概念、図２にはガス料金設定システムのブロック構成、図３乃至図５にはガス料金設定システムの処理例を示してある。
【００２８】
図１に示すように、販売元１は液化ガス（ＬＮＧ）２を気化する気化器３を所有し、気化器３でガスを製造して販売している。販売元１は販売先としてＡ事業所４、Ｂ事業所５及びＣ事業所６と契約しており、それぞれ気化器３の占有割合が契約されている。即ち、単位期間当りの占有割合である１時間当りのガスの最大流量がそれぞれ契約されている。
【００２９】
例えば、気化器３の能力を、１００ton/hとした場合、Ａ事業所４は５０ton/h（５０％）、Ｂ事業所５は３０ton/h（３０％）、Ｃ事業所６は２０ton/h（２０％）と契約されている。また、販売元１は、Ａ事業所４、Ｂ事業所５及びＣ事業所６と単位期間の契約量、例えば、１年間の契約量（年間契約量）が契約されている。これにより、最大の流量、及び年間の流量が各事業所で確保され、安定したガスの供給契約となる。
【００３０】
Ａ事業所４、Ｂ事業所５及びＣ事業所６に対するガス料金は、それぞれ契約している最大の流量、年間の流量（気化器３の占有割合）に基づいて算出される気化器３の利用率によって設定されている。つまり、年間の流量が少なくても一時的にガスを大量に供給する必要がある事業所に対しては、最大の契約流量が多く、年間の契約流量が少なくなる。逆に年間を通じて一定の流量を供給する事業所に対しては、最大の契約流量が少なく、年間の契約流量が多くなる。
【００３１】
両者を比較すると、気化器３に対する負荷は、一時的にガスを大量に供給する事業所の方が高くなり、また、年間を通して最大流量を確保しておく必要がある。一時的にガスを大量に供給する事業所は、気化器３の利用率は低いが占有する割合は高くなっているので、販売元１からするとガス供給にコストがかかる状況となるため、ガス料金が高く設定されるようになっている。
【００３２】
図２乃至図５に基づいてガス料金の設定の具体例を説明する。
【００３３】
図２に示すように、ガス料金設定システム１１には、気化器利用率算出手段１２、販売単価設定手段１３及び料金算出手段１４が備えられ、気化器利用率算出手段１２で算出された気化器利用率Ｚに基づき販売単価設定手段１３で単価が設定され、販売単価設定手段１３で設定された販売単価に応じて料金算出手段１４で料金が算出され、ガス料金が設定される。
【００３４】
気化器利用率算出手段１２には、時間当り最大流量１５及び年間契約量１６の情報が入力され、気化器利用率算出手段１２では、図３に示した演算式により気化器利用率Ｚが算出される。即ち、時間当り最大流量をＸ（ton/h）、年間契約量をＹ（ton/年）とした場合、気化器利用率Ｚは、
Ｚ=Ｙ／２４ｘ×３６５
で算出される。つまり、気化器利用率Ｚは、予め定められたガスの年間使用量（年間契約量）をガスの最大流量の１年間の総量（２４ｘ×３６５）で除して得た割合となっている。
【００３５】
気化器利用率Ｚが算出されると、図４に示した気化器３の利用状況に応じて、図５に示した演算式により販売単価が算出される。販売単価設定手段１３には利用実績１７が入力される。利用実績１７に基づいた利用割合（％）と利用割合区分毎の単価を示す図４により、利用実績１７に応じた単価が導出され、図５に示した演算式により販売単価が算出される。
【００３６】
即ち、図４に示すように、利用割合（％）が複数段階（０〜ａ1、ａ1〜ａ2、・・、ａｎ-1〜ａｎ）で設定され、それぞれの段階により利用割合が多くなる程低価格となる単価（円/ton）がＡ1、Ａ2、・・、Ａｎと設定されている。入力された利用実績により利用割合と単価毎に積算され、利用割合毎の単価の総和を気化器利用率Ｚで除して得た額が販売単価とされる。つまり、販売単価は、
販売単価=｛ａ1・Ａ1＋（ａ2-ａ1）・Ａ2・・・＋（Ｚ-ａｎ-1）・Ａｎ｝／Ｚ
で算出される。ただし、ａｎ-1＜Ｚ＜ａｎ
【００３７】
尚、単価の設定は、利用割合（％）を複数段階に設定することなく、利用実績に拘わらず気化器利用率Ｚに応じて一義的に設定することも可能である。また、図４に示した利用割合に応じた単価は、段階の境界の部分で図中では同一の値を示しているが、実際は重複しない値となっている。
【００３８】
販売価格が算出されると、料金算出手段１４でガス料金が算出される。即ち、販売価格に販売数量を乗じてガス料金が算出される。
【００３９】
上述したガス料金設定システム１１では、気化器３の利用率である気化器利用率Ｚに応じてガス料金を設定することで、使用量に拘わらず利用率に応じた割安感が得られるような料金を設定することができる。つまり、年間契約量に拘わらず、時間当り最大流量に近い流量で年間を通してガスを使用することで、気化器３の利用率が高くなるので、年間契約量が多くても時間当り最大流量に近い流量では殆どガスを使用しない場合に比べて、安いガス料金を設定することが可能になる。また、予め契約した量でのガスの供給になるので、特定の顧客に対して割安感のあるガスを安定して供給することが可能になる。また、時間当り最大流量を多く契約している販売先で、気化器３を有効に使用（利用率を高めるように使用）する方向にインセンティブが働き、結果としてトータルのガスの販売量を増やすことが可能になる。
【００４０】
図６乃至図８に基づいて本発明の他の実施形態例に係るガス料金の設定の具体例を説明する。
【００４１】
本実施形態例は、ガスの使用実績により気化器の占有割合（気化器占有率）に応じた気化器の年間の利用実績を求め、利用実績により単価を求めて販売価格を算出する例である。
【００４２】
図６には本発明の他の実施形態例に係るガス料金設定システムのブロック構成、図７、図８にはガス料金設定システムの処理例を示してある。
【００４３】
図６に示すように、ガス料金設定システム２１には、気化器利用実績算出手段２２、販売単価設定手段２３及び料金算出手段２４が備えられ、気化器利用実績算出手段２２で算出された気化器利用実績Ｐに基づき販売単価設定手段２３で単価が設定され、販売単価設定手段２３で設定された販売単価に応じて料金算出手段２４で料金が算出され、ガス料金が設定される。
【００４４】
気化器利用実績算出手段２２には、気化器３の占有率（予め契約した最大流量等）２５及び使用実績２６の情報が入力され、気化器利用実績算出手段２２では、図７に示した演算式により気化器利用実績Ｐが算出される。即ち、気化器利用実績Ｐは、
気化器利用実績Ｐ=気化器占有率/年間使用実績
で算出される。
【００４５】
気化器利用実績Ｐが算出されると、図８に示した気化器利用実績Ｐと単価との関係から気化器利用実績Ｐに対する単価が導出される。即ち、図８に示すように、気化器利用実績Ｐが例えば３段階（０〜Ｐ１、Ｐ１〜Ｐ２、Ｐ２〜Ｐ３）で設定され、それぞれの段階により利用実績が多くなる程低価格となる単価（円/ton）がＲ１、Ｒ２、Ｒ３と設定されている。気化器利用実績Ｐに応じた単価に応じて販売単価が決定される。
【００４６】
尚、図８に示した気化器利用実績に応じた単価は、段階の境界の部分で図中では同一の値を示しているが、実際は重複しない値となっている。
【００４７】
販売価格が算出されると、料金算出手段１４でガス料金が算出される。即ち、販売価格に販売数量を乗じてガス料金が算出される。
【００４８】
上述したガス料金設定システム１１では、気化器３の占有率に基づいた気化器利用実績Ｐに応じてガス料金を設定することで、使用量に拘わらず利用実績（使用量実績の割合）に応じた割安感が得られるような料金を設定することができる。また、不特定多数に対して使用量に応じた価格を設定することができ、公平な料金体系を設定することが可能になる。
【産業上の利用可能性】
【００４９】
本発明は、気化器の占有割合に基づいてガスの料金を設定することで、使用量に拘わらず割安感が得られるようにしたガス料金設定システムの技術分野で利用することができる。
【図面の簡単な説明】
【００５０】
【図１】本発明の一実施形態例に係るガス料金設定システムを説明する全体概念図である。
【図２】ガス料金設定システムのブロック構成図である。
【図３】ガス料金設定システムの処理例の説明図である。
【図４】ガス料金設定システムの処理例の説明図である。
【図５】ガス料金設定システムの処理例の説明図である。
【図６】本発明の他の実施形態例に係るガス料金設定システムのブロック構成図である。
【図７】ガス料金設定システムの処理例の説明図である。
【図８】ガス料金設定システムの処理例の説明図である。
【符号の説明】
【００５１】
１  販売元
２  液化ガス（ＬＮＧ）
３  気化器
４  Ａ事業所
５  Ｂ事業所
６  Ｃ事業所
１１、２１  ガス料金設定システム
１２  気化器利用率算出手段
１３  販売単価設定手段
１４  料金算出手段
１５  時間当り最大流量
１６  年間契約量
２２  気化器利用実績算出手段
２３  販売単価設定手段
２４  料金算出手段
２５  気化器占有率
２６  使用実績
【図１】
2009175897.tif 000003
【図２】
2009175897.tif 000004
【図３】
2009175897.tif 000005
【図４】
2009175897.tif 000006
【図５】
2009175897.tif 000007
【図６】
2009175897.tif 000008
【図７】
2009175897.tif 000009
【図８】
2009175897.tif 000010